(57)【要約】本発明は、ＶｏＩＰネットワークシステムにおいてＳＩＰ端末によって情報を発行、照会及び契約するための方法、ＳＩＰ端末、ＳＩＰアプリケーションサーバ、ＳＩＰ情報センター並びにＶｏＩＰネットワークシステムを提供する。ＶｏＩＰネットワークシステムは少なくとも情報を記憶及び提供するためのＳＩＰ情報センターとともに配備される。ＶｏＩＰネットワークシステムにおいてＳＩＰ端末によって情報を発行する方法は、ＳＩＰ端末において、発行すべき情報が埋め込まれた発行リクエストを作成するステップ、ＳＩＰ端末からＳＩＰ情報センターにＳＩＰアプリケーションサーバを介して発行リクエストを送信するステップ、ＳＩＰ情報センターのデータベースに情報を記録するステップ、及び新しい情報更新を契約ＳＩＰ端末に通知するステップを備える。
2010535439.tif 000002
【特許請求の範囲】
【請求項１】
ＶｏＩＰネットワークシステムにおいてＳＩＰ端末によって情報を発行するための方法であって、該ＶｏＩＰネットワークシステムは少なくとも該情報を記憶及び提供するためのＳＩＰ情報センターとともに配備され、該方法が、
該ＳＩＰ端末において、発行すべき情報が埋め込まれた発行リクエストを作成するステップ、
該発行リクエストを該ＳＩＰ端末から該ＳＩＰアプリケーションサーバを介して該ＳＩＰ情報センターに送信するステップ、及び
該ＳＩＰ情報センターのデータベースに該情報を記録するステップ
を備える方法。
【請求項２】
請求項１のＶｏＩＰネットワークシステムにおいてＳＩＰ端末によって情報を発行するための方法において、前記発行リクエストがＳＩＰ  ＲＥＧＩＳＴＥＲメッセージの形式であり、前記作成するステップが、
該ＳＩＰ  ＲＥＧＩＳＴＥＲメッセージを発行リクエストとして示すステップ、及び
該ＳＩＰ  ＲＥＧＩＳＴＥＲメッセージのボディ部に前記発行すべき情報を埋め込むステップ
からなる方法。
【請求項３】
請求項２のＶｏＩＰネットワークシステムにおいてＳＩＰ端末によって情報を発行するための方法において、前記ＳＩＰ  ＲＥＧＩＳＴＥＲメッセージを発行リクエストとして示すステップが、
該ＳＩＰ  ＲＥＧＩＳＴＥＲメッセージを、該メッセージにコンテンツタイプフィールドが含まれた発行リクエストとして示すステップ
からなる方法。
【請求項４】
請求項２又は３のＶｏＩＰネットワークシステムにおいてＳＩＰ端末によって情報を発行するための方法において、前記送信するステップが、
前記ＳＩＰ  ＲＥＧＩＳＴＥＲメッセージを前記ＳＩＰ端末から前記ＳＩＰアプリケーションサーバに送信するステップ、
該ＳＩＰアプリケーションサーバにおいて、該ＳＩＰ  ＲＥＧＩＳＴＥＲメッセージを発行リクエストとして認識するステップ、
該ＳＩＰアプリケーションサーバにおいて、該ＳＩＰ  ＲＥＧＩＳＴＥＲメッセージのボディ部から発行すべき情報を取得するステップ、及び
該発行すべき情報を該ＳＩＰアプリケーションサーバから該ＳＩＰ情報センターに転送するステップ
からなる方法。
【請求項５】
請求項１のＶｏＩＰネットワークシステムにおいてＳＩＰ端末によって情報を発行するための方法において、前記記録するステップが、
前記ＳＩＰ情報センターにおいて、前記取得された発行すべき情報を前記ＳＩＰアプリケーションサーバから受信するステップ、及び
該情報を含む該ＳＩＰ情報センターのデータベースを更新するステップ
からなる方法。
【請求項６】
ＶｏＩＰネットワークシステムにおいてＳＩＰ端末によって情報を照会するための方法であって、該ＶｏＩＰネットワークシステムは少なくとも該情報を記憶及び提供するためのＳＩＰ情報センターとともに配備され、該方法が、
該ＳＩＰ端末において、照会条件が埋め込まれた照会リクエストを作成するステップ、
該照会リクエストを該ＳＩＰ端末から該ＳＩＰアプリケーションサーバを介して該ＳＩＰ情報センターに送信するステップ、及び
該ＳＩＰ情報センターにおいて、該照会リクエストに従って情報を照会するステップ、及び
照会結果を該ＳＩＰ情報センターから該ＳＩＰ端末に該ＳＩＰアプリケーションサーバを介して返信するステップ
を備える方法。
【請求項７】
請求項６のＶｏＩＰネットワークシステムにおいてＳＩＰ端末によって情報を照会するための方法において、前記照会リクエストがＳＩＰ  ＲＥＧＩＳＴＥＲメッセージの形式であり、前記作成するステップが、
該ＳＩＰ  ＲＥＧＩＳＴＥＲメッセージを照会リクエストとして示すステップ、及び
該ＳＩＰ  ＲＥＧＩＳＴＥＲメッセージのボディ部に前記照会条件を埋め込むステップ
からなる方法。
【請求項８】
請求項７のＶｏＩＰネットワークシステムにおいてＳＩＰ端末によって情報を照会するための方法において、前記ＳＩＰ  ＲＥＧＩＳＴＥＲメッセージを照会リクエストとして示すステップが、
該ＳＩＰ  ＲＥＧＩＳＴＥＲメッセージを、該メッセージにコンテンツタイプフィールドが含まれた照会リクエストとして示すステップ
からなる方法。
【請求項９】
請求項７又は８のＶｏＩＰネットワークシステムにおいてＳＩＰ端末によって情報を照会するための方法において、前記送信するステップが、
前記ＳＩＰ  ＲＥＧＩＳＴＥＲメッセージを前記ＳＩＰ端末から前記ＳＩＰアプリケーションサーバに送信するステップ、
該ＳＩＰアプリケーションサーバにおいて、該ＳＩＰ  ＲＥＧＩＳＴＥＲメッセージを照会リクエストとして認識するステップ、
該ＳＩＰアプリケーションサーバにおいて、該ＳＩＰ  ＲＥＧＩＳＴＥＲメッセージのボディ部から前記照会条件を取得するステップ、及び
該照会条件を該ＳＩＰアプリケーションサーバから該ＳＩＰ情報センターに転送するステップ
からなる方法。
【請求項１０】
請求項９のＶｏＩＰネットワークシステムにおいてＳＩＰ端末によって情報を照会するための方法において、前記照会するステップが、
前記ＳＩＰ情報センターにおいて前記ＳＩＰアプリケーションサーバから前記照会条件を受信するステップ、及び
前記ＳＩＰ情報センターのデータベースから前記照会条件を満たす情報を照会するステップ
からなる方法。
【請求項１１】
請求項６のＶｏＩＰネットワークシステムにおいてＳＩＰ端末によって情報を照会するための方法において、前記返信するステップがさらに、
前記ＳＩＰ情報センターから前記ＳＩＰアプリケーションサーバに照会結果を返送するステップ、及び
照会応答メッセージによって前記ＳＩＰアプリケーションサーバから前記ＳＩＰ端末に該照会結果を返信するステップ
からなる方法。
【請求項１２】
請求項１１のＶｏＩＰネットワークシステムにおいてＳＩＰ端末によって情報を照会するための方法において、前記照会応答メッセージがＳＩＰ２００ＯＫ応答メッセージの形式であり、前記照会応答メッセージによって前記ＳＩＰアプリケーションサーバから前記ＳＩＰ端末に該照会結果を返信するステップが、
該ＳＩＰ２００ＯＫ応答メッセージを照会応答メッセージとして示すステップ、
該照会結果を該ＳＩＰ２００ＯＫ応答メッセージのボディ部に埋め込むステップ、及び
該ＳＩＰ２００ＯＫ応答メッセージを前記ＳＩＰアプリケーションサーバから前記ＳＩＰ端末に送信するステップ
からなる方法。
【請求項１３】
請求項１２のＶｏＩＰネットワークシステムにおいてＳＩＰ端末によって情報を照会するための方法において、前記該ＳＩＰ２００ＯＫ応答メッセージを照会応答メッセージとして示すステップが、
前記ＳＩＰ２００ＯＫ応答メッセージを、該メッセージにコンテンツタイプフィールドが含まれた照会応答メッセージとして示すステップ
からなる方法。
【請求項１４】
ＶｏＩＰネットワークシステムにおいてＳＩＰ端末によって情報を契約するための方法において、該ＶｏＩＰネットワークシステムは少なくとも該情報を記憶及び提供するためのＳＩＰ情報センターとともに配備され、該方法が、
該ＳＩＰ端末において、ユーザの関心事となるトピックを契約するための契約条件が埋め込まれた契約リクエストを作成するステップ、
該契約リクエストを該ＳＩＰ端末から該ＳＩＰアプリケーションサーバを介して該ＳＩＰ情報センターに送信するステップ、
該ＳＩＰ情報センターにおいて該契約条件を満たす新しい情報が発行されたか否かを監視するステップ、及び
該ＳＩＰ情報センターにおいて発行された当該トピックの新しい情報がある場合、それを該ＳＩＰ情報センターから該ＳＩＰアプリケーションサーバを介して該ＳＩＰ端末に通知するステップ
を備える方法。
【請求項１５】
ＳＩＰ端末であって、以下の、
発行すべき情報が埋め込まれた発行リクエストを作成するように構成された情報発行部、
照会条件が埋め込まれた照会リクエストを作成するように構成された情報照会部、及び
ユーザの関心事となるトピックを契約するための契約条件が埋め込まれた契約リクエストを作成するように構成された情報契約部
のうちの少なくとも１つを備えたＳＩＰ端末。
【請求項１６】
請求項１５のＳＩＰ端末において、前記発行リクエストがＳＩＰ  ＲＥＧＩＳＴＥＲメッセージの形式であり、前記情報発行部が、
該ＳＩＰ  ＲＥＧＩＳＴＥＲメッセージを発行リクエストとして示すように構成されたメッセージ表示部、及び
前記発行すべき情報を該ＳＩＰ  ＲＥＧＩＳＴＥＲメッセージのボディ部に埋め込むように構成された情報埋め込み部
を備えたＳＩＰ端末。
【請求項１７】
請求項１５のＳＩＰ端末において、前記発行リクエストがＳＩＰ  ＲＥＧＩＳＴＥＲメッセージの形式であり、前記情報照会部が、
該ＳＩＰ  ＲＥＧＩＳＴＥＲメッセージを照会リクエストとして示すように構成されたメッセージ表示部、及び
前記照会条件を該ＳＩＰ  ＲＥＧＩＳＴＥＲメッセージのボディ部に埋め込むように構成された照会条件埋め込み部
を備えたＳＩＰ端末。
【請求項１８】
請求項１５のＳＩＰ端末であって、さらに次の、
ユーザが前記発行すべき情報を入力できる情報発行ＵＩ、
ユーザが前記照会条件を入力できる情報照会ＵＩ、及び
ユーザが前記契約条件を入力できる情報契約ＵＩ
のうちの少なくとも１つを備えたＳＩＰ端末。
【請求項１９】
ＳＩＰアプリケーションサーバであって、以下の、
発行すべき情報をＳＩＰ端末から受信された発行リクエストから取得し、それを該ＳＩＰアプリケーションサーバと双方向通信するＳＩＰ情報センターに転送するように構成された発行リクエスト処理部、
ＳＩＰ端末から受信された照会リクエストから照会条件を取得し、それらを該ＳＩＰ情報センターに転送するように構成された照会リクエスト処理部、及び
該ＳＩＰ情報センターの更新を監視し、ＳＩＰ端末から受信した契約リクエストによって契約される、該ＳＩＰ情報センターにおける新しい情報を該ＳＩＰ端末に通知するように構成された契約リクエスト処理部
のうちの少なくとも１つを備えたＳＩＰアプリケーションサーバ。
【請求項２０】
請求項１９のＳＩＰアプリケーションサーバであって、さらに、
受信メッセージから前記発行リクエスト、前記照会リクエスト及び前記契約リクエストを認識し、それらを前記発行リクエスト処理部、前記照会リクエスト処理部及び前記契約リクエスト処理部にそれぞれ分配するように構成されたメッセージ認識部
を備えたＳＩＰアプリケーションサーバ。
【請求項２１】
請求項１９のＳＩＰアプリケーションサーバであって、さらに、
前記ＳＩＰ情報センターから受信された照会結果が埋め込まれた照会応答メッセージを作成するように構成された照会応答作成部
を備えたＳＩＰアプリケーションサーバ。
【請求項２２】
請求項２１のＳＩＰアプリケーションサーバにおいて、前記照会応答メッセージがＳＩＰ２００ＯＫ応答メッセージの形式であり、前記照会応答作成部が、
ＳＩＰ２００ＯＫ応答メッセージを照会応答メッセージとして示すように構成されたメッセージ表示部、及び
前記ＳＩＰ情報センターから受信された照会結果を前記ＳＩＰ２００ＯＫ応答メッセージのボディ部に埋め込むように構成された照会結果埋め込み部
を備えたＳＩＰアプリケーションサーバ。
【請求項２３】
ＳＩＰ情報センターであって、
情報を記憶するための少なくとも１つのデータベース、
ＳＩＰ端末からＳＩＰアプリケーションサーバを介して受信された発行すべき情報に基づいて、該少なくとも１つのデータベースを更新するように構成されたデータベース更新部、及び
ＳＩＰ端末からＳＩＰアプリケーションサーバを介して受信された照会条件を満たす情報について、該少なくとも１つのデータベースを照会するように構成された照会部
を備えたＳＩＰ情報センター。
【請求項２４】
請求項２３のＳＩＰ情報センターであって、さらに、
前記少なくとも１つのデータベースの更新イベントを前記ＳＩＰアプリケーションサーバに通知するように構成された更新通知部
を備えたＳＩＰ情報センター。
【請求項２５】
ＳＩＰネットワークシステムであって、
請求項１５から１８のいずれか一項に記載の少なくとも１つのＳＩＰ端末、
請求項１９から２２のいずれか一項に記載の少なくとも１つのＳＩＰアプリケーションサーバ、及び
請求項２３又は２４に記載の少なくとも１つのＳＩＰ情報センター
を備えたＳＩＰネットワークシステム。
【発明の詳細な説明】
【技術分野】
【０００１】
本発明は通信技術に関し、特に、ＶｏＩＰネットワークシステムにおいてＳＩＰ端末によって情報をそれぞれ発行、照会及び契約するための方法、ＳＩＰ端末、ＳＩＰアプリケーションサーバ、ＳＩＰ情報センター並びにＶｏＩＰネットワークシステムに関する。
【背景技術】
【０００２】
ますます多くのサービスプロバイダが次世代ネットワーク、即ち、ＶｏＩＰネットワークを配備して、ＳＩＰ（セッション開始プロトコル）が可能となった電話機を持つ顧客をサポートしている。これらの顧客は彼らのＳＩＰフォンを用いてＩＰネットワーク上で音声又は映像で互いに通信する。
【０００３】
しかし、ＩＰネットワークとは異なり、ＶｏＩＰネットワークシステムには現時点では、ＳＩＰ顧客が他者と通信することの他に、彼らのＳＩＰフォンを用いることによって情報を発行、照会又は契約するためのメカニズムがない。
【０００４】
ＳＩＰフォンはソフトウェア端末及びハードウェア電話機を含む。従来のＰＳＴＮフォンと比べて、ＳＩＰフォンは格段にインテリジェントである。これによってＶｏＩＰサービスの他に、サービスプロバイダによる新規で凝ったＳＩＰ情報サービスの発展が可能となる。
【発明の概要】
【課題を解決するための手段】
【０００５】
本発明は従来技術における上記の問題を解決するために提供され、その課題は、ＳＩＰユーザが彼らのＳＩＰフォンを用いて、サービスプロバイダによって提供されるＳＩＰ情報センターへの／そこからの関心あるトピック／情報を発行／照会／契約することを可能とするために、ＶｏＩＰネットワークシステムにおいて情報をＳＩＰ端末によってそれぞれ発行、照会及び契約するための方法、ＳＩＰ端末、ＳＩＰアプリケーションサーバ、ＳＩＰ情報センター並びにＶｏＩＰネットワークシステムを提供することである。
【０００６】
発明の一側面によると、ＶｏＩＰネットワークシステムにおいてＳＩＰ端末によって情報を発行するための方法が提供され、ここで、ＶｏＩＰネットワークシステムは少なくとも情報を記憶及び提供するためにＳＩＰ情報センターに配備され、当該方法は、ＳＩＰ端末において、発行すべき情報が埋め込まれた発行リクエストを作成するステップ、発行リクエストをＳＩＰ端末からＳＩＰアプリケーションサーバを介してＳＩＰ情報センターに送信するステップ、及びＳＩＰ情報センターのデータベースに情報を記録するステップを備える。
【０００７】
本発明の他の側面によると、ＶｏＩＰネットワークシステムにおいてＳＩＰ端末によって情報を照会するための方法が提供され、ここで、ＶｏＩＰネットワークシステムは少なくとも情報を記憶及び提供するためのＳＩＰ情報センターとともに配備され、当該方法は、ＳＩＰ端末において、照会条件が埋め込まれた照会リクエストを作成するステップ、照会リクエストをＳＩＰ端末からＳＩＰアプリケーションサーバを介してＳＩＰ情報センターに送信するステップ、及びＳＩＰ情報センターにおいて、照会リクエストに従って情報を照会するステップ、及び照会結果をＳＩＰ情報センターからＳＩＰアプリケーションサーバを介してＳＩＰ端末に返信するステップを備える。
【０００８】
本発明の他の側面によると、ＶｏＩＰネットワークシステムにおいてＳＩＰ端末によって情報を契約するための方法が提供され、ここで、ＶｏＩＰネットワークシステムは少なくとも情報を記憶及び提供するためのＳＩＰ情報センターとともに配備され、当該方法は、ＳＩＰ端末において、ユーザの関心事となるトピックを契約するための契約条件が埋め込まれた契約リクエストを作成するステップ、契約リクエストをＳＩＰ端末からＳＩＰアプリケーションサーバを介してＳＩＰ情報センターに送信するステップ、ＳＩＰ情報センターにおいて発行された、契約条件を満たす新しい情報があるか否かを監視するステップ、及びＳＩＰ情報センターにおいて発行された当該トピックの新しい情報がある場合、それをＳＩＰ情報センターからＳＩＰアプリケーションサーバを介してＳＩＰ端末に通知するステップを備える。
【０００９】
本発明の他の側面によると、以下の、発行すべき情報が埋め込まれた発行リクエストを作成するように構成された情報発行部、照会条件が埋め込まれた照会リクエストを作成するように構成された情報照会部、及びユーザの関心事となるトピックを契約するための契約条件が埋め込まれた契約リクエストを作成するように構成された情報契約部のうちの少なくとも１つを備えたＳＩＰ端末が提供される。
【００１０】
本発明の他の側面によると、以下の、発行すべき情報をＳＩＰ端末から受信された発行リクエストから取得してそれをＳＩＰアプリケーションサーバと双方向通信するＳＩＰ情報センターに転送するように構成された発行リクエスト処理部、ＳＩＰ端末から受信された照会リクエストから照会条件を取得してそれらをＳＩＰ情報センターに転送するように構成された照会リクエスト処理部、及びＳＩＰ情報センターの更新を監視してＳＩＰ端末から受信した契約リクエストによって契約されるＳＩＰ情報センターにおける新しい情報をＳＩＰ端末に通知するように構成された契約リクエスト処理部のうちの少なくとも１つを備えたＳＩＰアプリケーションサーバが提供される。
【００１１】
本発明の他の側面によると、情報を記憶するための少なくとも１つのデータベース、ＳＩＰ端末からＳＩＰアプリケーションサーバを介して受信された発行すべき情報に基づいて少なくとも１つのデータベースを更新するように構成されたデータベース更新部、及びＳＩＰ端末からＳＩＰアプリケーションサーバを介して受信された照会条件を満たす情報について該少なくとも１つのデータベースを照会するように構成された照会部を備えたＳＩＰ情報センターが提供される。
【００１２】
本発明の他の側面によると、上記の少なくとも１つのＳＩＰ端末、上記の少なくとも１つのＳＩＰアプリケーションサーバ、及び上記の少なくとも１つのＳＩＰ情報センターを備えたＳＩＰネットワークシステムが提供される。
【００１３】
本発明の構成、有利な効果及び目的は、添付図面との関係で読まれる以降の本発明の詳細な実施例の説明からより深く理解できる。
【図面の簡単な説明】
【００１４】
【図１】図１は発明の実施例によるＶｏＩＰネットワークシステムの概略ブロック図であり、発明の実施例によるＶｏＩＰネットワークシステムにおけるＳＩＰ端末によって情報を発行、照会及び契約するための方法が実施される。
【図２】図２は発明の実施例によるＶｏＩＰネットワークシステムにおいてＳＩＰ端末によって情報を発行するための方法のフローチャートである。
【図３】図３(ａ)はＢＵＹ／ＳＥＬＬモデルにおける例示の発行パターンを図示する。図３(ｂ)は発明の実施例によるＳＩＰ  ＲＥＧＩＳＥＲメッセージから拡張された詳細な発行リクエストを図示する。
【図４】図４は発明の実施例によるＶｏＩＰネットワークシステムにおいてＳＩＰ端末によって情報を照会するための方法のフローチャートである。
【図５】図５(ａ)はＢＵＹ／ＳＥＬＬモデルにおける例示の照会パターンである。図５(ｂ)は発明の実施例によるＳＩＰ  ＲＥＧＩＳＥＲメッセージから拡張された詳細な照会リクエストを図示する。
【図６】図６は発明の実施例によるＳＩＰ２００ＯＫ応答メッセージから拡張された詳細な照会応答メッセージを図示する。
【図７】図７は発明の実施例によるＶｏＩＰネットワークシステムにおいてＳＩＰ端末によって情報を契約するための方法のフローチャートである。
【図８】図８は発明の実施例による図１のＶｏＩＰネットワークシステムにおいてＳＩＰ端末上でＵＩを発行する例示の情報を図示する。
【図９ａ】図９(ａ)は発明の実施例による図８のＳＩＰ端末上でＵＩを発行する例示の情報を図示する。
【図９ｂ】図９(ｂ)は発明の実施例による図８のＳＩＰ端末上でＵＩを照会する例示の情報を図示する。
【図９ｃ】図９（ｃ）は発明の実施例による図８のＳＩＰ端末上でＵＩを契約する例示の情報を図示する。
【図１０】図１０は発明の実施例による図１のＶｏＩＰネットワークシステムにおいてＳＩＰアプリケーションサーバの概略ブロック図である。
【図１１】図１１は発明の実施例による図１のＶｏＩＰネットワークシステムにおいてＳＩＰ情報センターの概略ブロック図である。
【発明を実施するための形態】
【００１５】
次に、本発明の好適な実施例の詳細な説明が図面を参照して与えられる。
図１は発明の実施例によるＶｏＩＰネットワークシステムの概略ブロック図であり、発明の実施例によるＶｏＩＰネットワークシステムにおいてＳＩＰ端末によって情報を発行、照会及び契約するための方法が実施される。
【００１６】
図１に示すように、ＳＩＰ端末１０１はＳＩＰチャネルを介してＶｏＩＰネットワーク１０２に接続される。
ＶｏＩＰネットワークシステム１０２におけるＳＩＰアプリケーションサーバ１０３は通信サービスの展開及び配信のために設計されている。サービスプロバイダが彼らの次世代サービスを展開及び提供することを可能とするＳＩＰアプリケーションサーバはプラットフォーム及びアプリケーション作成環境の双方である。サービスはサービスプロバイダのインフラ配備や彼らの歳入を向上する。
【００１７】
ＳＩＰ端末１０１のユーザがＳＩＰアプリケーションサーバ１０３によって提供されるサービスを契約したい場合には、彼／彼女はまず、ユーザ名及びパスワード並びにどのようにサーバにアクセスするかについてのインストラクションを受信するためにＳＩＰアプリケーションサーバ１０３に登録する必要がある。
【００１８】
さらに、図１に示すように、ＶｏＩＰネットワークシステム１００には、情報を記憶及び提供するために、サービスプロバイダによって提供されるＳＩＰ情報センター１０４が配備される。ＳＩＰ情報センター１０４はＶｏＩＰネットワーク１０２に接続され、ＳＩＰアプリケーションサーバ１０３と双方向通信することができる。
【００１９】
図１のＶｏＩＰネットワークシステムのアーキテクチャに基づいて、本発明はＶｏＩＰネットワークシステムにおいてＳＩＰ端末によって情報を発行するための方法を提供する。図２に発明の実施例によるＶｏＩＰネットワークシステムにおいてＳＩＰ端末によって情報を発行する方法のフローチャートを示す。
【００２０】
図２に示すように、まずステップ２０５において、ＳＩＰ端末１０１のようなＳＩＰ端末が、発行すべき情報が埋め込まれた発行リクエストを作成する。
一般に、ＳＩＰユーザエージェント（ＵＡ）ともいわれるＳＩＰ端末は、ＳＩＰ  ＲＥＧＩＳＥＲメッセージをＳＩＰアプリケーションサーバ１０３に存在する登録機能に周期的に送信することによって、ＶｏＩＰネットワークへのそのアクティブな登録を保持する。
【００２１】
本発明では、ＳＩＰ端末がＳＩＰ情報センター１０４に情報を発行することを可能とするためにＳＩＰ  ＲＥＧＩＳＥＲメッセージが使用される。即ち、本実施例はＳＩＰ  ＲＥＧＩＳＥＲメッセージを、情報を発行するための発行リクエストとして拡張する。
【００２２】
具体的には、本実施例では、「アプリケーション／発行＋ｘｍｌ（application/publish+xml）」のような新たなコンテンツタイプが、ＳＩＰ情報センター１０４に対してユーザ情報を発行するために定義され、ＳＩＰ  ＲＥＧＩＳＥＲメッセージのボディ部に埋め込まれるように追加される。即ち、本実施例はＳＩＰ  ＲＥＧＩＳＥＲメッセージを、これが発行リクエストであることを示すためにそのコンテンツタイプフィールドを「アプリケーション／発行＋ｘｍｌ」として設定し、発行すべき情報をメッセージのボディ部の＜発行＞部分に埋め込むことによって、発行リクエストとして拡張する。
【００２３】
さらに、発行すべき情報が埋め込まれるパターンはプロファイルにおいて予め定義される。プロファイルはサービスプロバイダによって異なるサービスに基づいて定義される。
【００２４】
図３(ａ)にＢＵＹ／ＳＥＬＬモデルにおける例示の発行パターンを示す。図３(ｂ)に、図３(ａ)の発行パターンに基づいてＳＩＰ  ＲＥＧＩＳＥＲから拡張された詳細な発行リクエストを示す。
【００２５】
従って、図３(ｂ)の発行リクエストのような場合において、ステップ２０５での発行リクエストを作成する処理は以下の通りである。まず、ＳＩＰ端末がＳＩＰ  ＲＥＧＩＳＥＲメッセージを作成し、ＳＩＰ端末はコンテンツタイプフィールドを「アプリケーション／発行＋ｘｍｌ」として設定してＳＩＰ  ＲＥＧＩＳＥＲメッセージが発行リクエストであることを示し、ＳＩＰ端末は発行すべき情報をＳＩＰ  ＲＥＧＩＳＥＲメッセージのボディ部に埋め込む。
【００２６】
次に、ステップ２１０において、ＳＩＰ端末はＳＩＰ  ＲＥＧＩＳＥＲメッセージから拡張された発行リクエストをＳＩＰアプリケーションサーバ１０３に送信する。
【００２７】
ステップ２１５において、ＳＩＰアプリケーションサーバ１０３は、ＳＩＰ端末から受信されたＳＩＰ  ＲＥＧＩＳＥＲメッセージを発行リクエストとして認識する。具体的には、ＳＩＰアプリケーションサーバ１０３は、ＳＩＰ  ＲＥＧＩＳＥＲメッセージにおけるコンテンツタイプフィールドを認識し、その値が「アプリケーション／発行＋ｘｍｌ」であると判断することによって、ＳＩＰ  ＲＥＧＩＳＥＲメッセージを発行リクエストとして認識する。
【００２８】
ステップ２２０において、ＳＩＰアプリケーションサーバ１０３は発行すべき情報を発行リクエストのボディ部の＜発行＞部分から取得し、それをＳＩＰ情報センター１０４に転送して、それがＳＩＰ端末によって発行すべき情報であることを示す。
【００２９】
ステップ２２５において、ＳＩＰ情報センター１０４はそのデータベースを更新し、ＳＩＰアプリケーションサーバから受信された発行すべき情報をそこに書き込む。
【００３０】
上記は、発明の実施例によるＶｏＩＰネットワークシステムにおいてＳＩＰ端末によって情報を発行するための方法の説明である。上記の説明から、実施例による方法によると、ＳＩＰ顧客は、ＳＩＰフォンを介してサービスプロバイダによって提供される特定の有用な情報をＳＩＰ情報センターに容易に発行することができる。
【００３１】
さらに、図１のＶｏＩＰネットワークシステムのアーキテクチャに基づいて、本発明はまたＶｏＩＰネットワークシステムにおいてＳＩＰ端末によって情報を照会するための方法を提供する。図４に発明の実施例によるＶｏＩＰネットワークシステムにおいてＳＩＰ端末によって情報を照会する方法のフローチャートを示す。
【００３２】
図４に示すように、まずステップ４０５で、ＳＩＰ端末１０１のようなＳＩＰ端末が、照会条件が埋め込まれた照会リクエストを作成する。
【００３３】
本発明では、ＳＩＰ端末にＳＩＰ情報センター１０４からの情報を照会することを可能とするためにＳＩＰ  ＲＥＧＩＳＥＲメッセージが使用される。即ち、本実施例はＳＩＰ  ＲＥＧＩＳＥＲメッセージを、情報を照会するための照会リクエストとして拡張する。
【００３４】
具体的には、本実施例では、「アプリケーション／照会＋ｘｍｌ（application/query+xml）」のような新たなコンテンツタイプが、ＳＩＰ情報センター１０４からの特定の情報を照会するために定義され、ＳＩＰ  ＲＥＧＩＳＥＲメッセージのボディ部に埋め込まれるように追加される。即ち、本実施例はＳＩＰ  ＲＥＧＩＳＥＲメッセージを、これが照会リクエストであることを示すためにそのコンテンツタイプフィールドを「アプリケーション／照会＋ｘｍｌ」として設定し、照会条件をメッセージのボディ部の＜照会＞部分に埋め込むことによって、照会リクエストとして拡張する。
【００３５】
さらに、照会条件が埋め込まれるパターンはプロファイルにおいて予め定義される。プロファイルはサービスプロバイダによって異なるサービスに基づいて定義される。
【００３６】
図５(ａ)にＢＵＹ／ＳＥＬＬモデルにおける例示の発行パターンを示す。図５(ｂ)の照会パターンに基づいてＳＩＰ  ＲＥＧＩＳＥＲメッセージから拡張された詳細な照会リクエストを示す。
【００３７】
従って、図５(ｂ)の照会リクエストのような場合において、ステップ４０５での照会リクエストを作成する処理は以下の通りである。まず、ＳＩＰ端末がＳＩＰ  ＲＥＧＩＳＥＲメッセージを作成し、ＳＩＰ端末はコンテンツタイプフィールドを「アプリケーション／照会＋ｘｍｌ」として設定してＳＩＰ  ＲＥＧＩＳＥＲメッセージが照会リクエストであることを示し、ＳＩＰ端末は照会条件をＳＩＰ  ＲＥＧＩＳＥＲメッセージのボディ部の＜照会＞部分に埋め込む。
【００３８】
次に、ステップ４１０において、ＳＩＰ端末はＳＩＰ  ＲＥＧＩＳＥＲメッセージから拡張された照会リクエストをＳＩＰアプリケーションサーバ１０３に送信する。
【００３９】
ステップ４１５において、ＳＩＰアプリケーションサーバ１０３は、ＳＩＰ端末から受信されたＳＩＰ  ＲＥＧＩＳＥＲメッセージを照会リクエストとして認識する。具体的には、ＳＩＰアプリケーションサーバ１０３は、ＳＩＰ  ＲＥＧＩＳＥＲメッセージにおけるコンテンツタイプフィールドを認識し、その値が「アプリケーション／照会＋ｘｍｌ」であると判断することによって、ＳＩＰ  ＲＥＧＩＳＥＲメッセージを照会リクエストとして認識する。
【００４０】
ステップ４２０において、ＳＩＰアプリケーションサーバ１０３は照会条件を照会リクエストのボディ部の＜照会＞部分から取得し、それをＳＩＰ情報センター１０４に転送して、それらがＳＩＰ端末から受信された照会条件であることを示す。
【００４１】
ステップ４２５において、ＳＩＰ情報センター１０４はそのデータベースから照会条件を満たす情報を検索し、照会結果をＳＩＰアプリケーションサーバ１０３に返す。
【００４２】
ステップ４３０において、ＳＩＰアプリケーションサーバ１０３はＳＩＰ情報センター１０４からの照会結果を取得し、照会結果が埋め込まれた照会応答メッセージを作成する。
【００４３】
本実施例では、ＳＩＰアプリケーションサーバ１０３がＳＩＰ情報センター１０４からの照会結果をＳＩＰ端末に返信することを可能とするためにＳＩＰ２００ＯＫ応答メッセージが使用される。
【００４４】
具体的には、本実施例では、「アプリケーション／照会＋ｘｍｌ」のような新たなコンテンツタイプが、ＳＩＰアプリケーションサーバ１０３からの照会結果を返信するために定義され、ＳＩＰ２００ＯＫ応答メッセージのボディ部に埋め込まれるように追加される。即ち、本実施例はＳＩＰ２００ＯＫ応答メッセージを、これが照会応答メッセージであることを示すためにそのコンテンツタイプフィールドを「アプリケーション／照会＋ｘｍｌ」として設定し、照会結果をメッセージのボディ部の＜照会＞部分に埋め込むことによって、照会応答メッセージとして拡張する。このようなＳＩＰ２００ＯＫ応答メッセージから拡張された照会応答メッセージの詳細を図６に示す。
【００４５】
従って、図６の照会応答メッセージのような場合において、ステップ４３０での照会応答メッセージを作成する処理は以下の通りである。まず、ＳＩＰアプリケーションサーバ１０３がＳＩＰ２００ＯＫ応答メッセージを作成し、ＳＩＰアプリケーションサーバ１０３はコンテンツタイプフィールドを「アプリケーション／照会＋ｘｍｌ」として設定してＳＩＰ２００ＯＫ応答メッセージが照会応答リクエストであることを示し、ＳＩＰアプリケーションサーバ１０３は照会結果をＳＩＰ２００ＯＫ応答メッセージのボディ部の＜照会＞部分に埋め込む。
【００４６】
次にステップ４３５において、ＳＩＰアプリケーションサーバ１０３は照会応答メッセージをＳＩＰ端末に返信する。
【００４７】
上記は、発明の実施例によるＶｏＩＰネットワークシステムにおいてＳＩＰ端末によって情報を照会するための方法の説明である。上記の説明から、実施例による方法によって、ＳＩＰ顧客は、ＳＩＰフォンを介してサービスプロバイダによって提供される特定の有用な情報をＳＩＰ情報センターから容易に照会及び取得することができる。
【００４８】
さらに、図１のＶｏＩＰネットワークシステムのアーキテクチャに基づいて、本発明はまたＶｏＩＰネットワークシステムにおいてＳＩＰ端末によって情報を契約するための方法を提供する。図７に発明の実施例によるＶｏＩＰネットワークシステムにおいてＳＩＰ端末によって情報を契約する方法のフローチャートを示す。
【００４９】
図７に示すように、まずステップ７０５で、ＳＩＰ端末１０１のようなＳＩＰ端末が、契約条件が埋め込まれた契約リクエストを作成する。
【００５０】
本発明では、契約機能を実現するためにＳＩＰ  ＳＵＢＳＣＲＩＢＥ／ＮＯＴＩＦＹ手法が使用される。即ち、本発明によって、ＳＩＰ端末がＳＩＰ  ＳＵＢＳＣＲＩＢＥメッセージを用いることによって情報を契約し、ＳＩＰ  ＮＯＴＩＦＹメッセージによってＳＩＰ情報センター１０４から最新情報を取得することが可能となる。
【００５１】
従って、ステップ７０５において契約リクエストを作成することは、メッセージボディ部に契約条件が埋め込まれたＳＩＰ  ＳＵＢＳＣＲＩＢＥメッセージを作成することである。例えば、契約条件とは、ＳＩＰ端末がＳＩＰ情報センター１０４から天気予報又は不動産情報を毎日取得することを望むことである。
【００５２】
次に、ステップ７１０において、ＳＩＰ端末は契約リクエストをＳＩＰアプリケーションサーバ１０３に送信する。
【００５３】
ステップ７１５において、ＳＩＰアプリケーションサーバ１０３は契約リクエストを認識し、契約イベントを記録する。
【００５４】
ステップ７２０において、ＳＩＰアプリケーションサーバ１０３は契約リクエストに従ってＳＩＰ情報センター１０４の更新イベントを監視して契約リクエストによって契約されるトピックの最新情報があるかを判断する。
【００５５】
好適な実施例では、ＳＩＰ情報センター１０４にＳＩＰ顧客によって発行された新たな情報がある場合、ＳＩＰ情報センター１０４はその更新イベントをＳＩＰアプリケーションサーバ１０３に通知する。
【００５６】
代替の実施例では、ＳＩＰ情報センター１０４はその更新イベントをＳＩＰアプリケーションサーバ１０３に、例えば毎日等、周期的に通知する。
【００５７】
ステップ７２５において、ＳＩＰ情報センター１０４にそのトピックの最新情報があると判断された場合、ＳＩＰアプリケーションサーバ１０３はＳＩＰ情報センター１０４からの最新情報を取得し、そのトピックの最新情報が埋め込まれた通知メッセージを作成する。
【００５８】
本実施例では、上述したように、契約機能を実現するためにＳＩＰ  ＳＵＢＳＣＲＩＢＥ／ＮＯＴＩＦＹ手法が使用される。即ち、本実施例では、ＳＩＰアプリケーションサーバ１０３はＳＩＰ  ＮＯＴＩＦＹメッセージを用いて最新情報をＳＩＰ情報センター１０４からＳＩＰ端末に送信する。
【００５９】
従って、ステップ７２５で通知メッセージを作成することは、ＳＩＰ端末によって契約されるコンテンツがメッセージボディ部に埋め込まれたＳＩＰ  ＮＯＴＩＦＹメッセージを作成することである。
【００６０】
次に、ステップ７０３において、ＳＩＰアプリケーションサーバ１０３は最新情報が埋め込まれた通知メッセージをＳＩＰ端末に返信する。
【００６１】
上記は発明の実施例によるＶｏＩＰネットワークシステムにおいてＳＩＰ端末によって情報を契約するための方法の説明である。上記の説明から、実施例による方法によって、ＳＩＰ顧客は、ＳＩＰフォンを介してサービスプロバイダによって提供される彼／彼女の関心のトピック又は情報をＳＩＰ情報センターから容易に契約することができる。
【００６２】
同じ発明の発想の下、図８は発明の実施例によるＳＩＰ端末の概略ブロック図を示す。これはＳＩＰ端末１０１として図１のＶｏＩＰネットワークシステム１００において実施される。
【００６３】
図８に示すように、ＳＩＰ端末１０１は、発行すべき情報が埋め込まれた発行リクエストを作成するように構成された情報発行部８０１、照会条件が埋め込まれた照会リクエストを作成するように構成された情報照会部８０２、及びユーザの関心事となるトピックを契約するための契約条件が埋め込まれた契約リクエストを作成するように構成された情報契約部８０３のうちの少なくとも１つを備える。
【００６４】
より具体的には、情報発行部８０１は図３(ｂ)の形態において発行リクエストを作成する。即ち、実施例では、情報発行部８０１によって作成された発行リクエストはＳＩＰ  ＲＥＧＩＳＴＥＲメッセージから拡張される。
【００６５】
図８に示すように、情報発行部８０１はさらに、ＳＩＰ  ＲＥＧＩＳＴＥＲメッセージを発行リクエストとして示すように構成されたメッセージ表示部８０１１、及び発行すべき情報をＳＩＰ  ＲＥＧＩＳＴＥＲメッセージのボディ部に埋め込むように構成された情報埋め込み部８０１２を備えることができる。
【００６６】
より具体的には、メッセージ表示部８０１１はＳＩＰ  ＲＥＧＩＳＴＥＲメッセージのコンテンツタイプフィールドを「アプリケーション／発行＋ｘｍｌ」として設定してこれが発行リクエストであることを示す。情報埋め込み部８０１２は、発行リクエストを取得するために、図３(ａ)に示すような予め定義された発行パターンでＳＩＰ  ＲＥＧＩＳＴＥＲメッセージのボディ部の＜発行＞部分に発行すべき情報を埋め込む。
【００６７】
情報照会部８０２は図５(ｂ)の形態で照会リクエストを作成する。即ち、実施例では、情報照会部８０２によって作成された照会リクエストもＳＩＰ  ＲＥＧＩＳＴＥＲメッセージから拡張される。
【００６８】
図８に示すように、情報照会部８０２はさらに、ＳＩＰ  ＲＥＧＩＳＴＥＲメッセージを照会リクエストとして示すように構成されたメッセージ表示部８０２１、及びＳＩＰ  ＲＥＧＩＳＴＥＲメッセージのボディ部に照会条件を埋め込むように構成された照会条件埋め込み部８０２２を備える。
【００６９】
より具体的には、メッセージ表示部８０２１はＳＩＰ  ＲＥＧＩＳＴＥＲメッセージのコンテンツタイプフィールドを「アプリケーション／照会＋ｘｍｌ」として設定してこれが照会リクエストであることを示す。照会条件埋め込み部８０２２は、照会リクエストを取得するために、図５(ａ)に示すような予め定義された照会パターンでＳＩＰ  ＲＥＧＩＳＴＥＲメッセージのボディ部の＜照会＞部分に照会条件を埋め込む。
【００７０】
情報契約部８０３はＳＩＰ  ＳＵＢＳＣＲＩＢＥメッセージを作成し、メッセージボディ部に契約条件を埋め込んで契約リクエストを取得する。
【００７１】
また、ＳＩＰ端末１０１はさらに、それを介してユーザが発行すべき情報を入力できる情報発行ＵＩ８０４、それを介してユーザが照会条件を入力できる情報照会ＵＩ８０５、及びそれを介してユーザが契約条件を入力できる情報契約ＵＩ８０６の少なくとも１つを備えることができる。
【００７２】
図９(ａ)は、発明の実施例による、発行すべき情報をユーザがＳＩＰ端末１０１で入力するための例示の情報発行ＵＩ８０４を示し、これは図３(ａ)の発行パターンで示される。  図９(ｂ)は、発明の実施例による、照会条件をユーザがＳＩＰ端末１０１で入力するための例示の情報照会ＵＩ８０５を示し、これは図５(ａ)の照会パターンで示される。図９(ｃ)は、発明の実施例による、契約条件をユーザがＳＩＰ端末１０１で入力するための例示の情報契約ＵＩ８０６を示す。
【００７３】
また、ＳＩＰ端末１０１はさらに、情報発行部８０１によって作成された発行リクエスト、情報照会部８０２によって作成された照会リクエスト又は情報契約部８０３によって作成された契約リクエストをＳＩＰ情報センター１０４のようなＳＩＰ情報センターにＳＩＰアプリケーションサーバ１０３のようなＳＩＰアプリケーションサーバを介して送信するように構成されたリクエスト送信部８０７、及びＳＩＰ情報センター１０４のようなＳＩＰ情報センターからＳＩＰアプリケーションサーバ１０３のようなＳＩＰアプリケーションサーバを介して情報を受信するように構成された情報受信部８０８を備える。
【００７４】
同じ発想の下、図１０に発明の実施例によるＳＩＰアプリケーションサーバの概略ブロック図を示す。これは図１のＶｏＩＰネットワークシステム１００においてＳＩＰアプリケーションサーバ１０３として実施される。
【００７５】
図１０に示すように、ＳＩＰアプリケーションサーバ１０３は、ＳＩＰ端末から受信した発行リクエストから発行すべき情報を取得してそれをＳＩＰアプリケーションサーバと双方向通信するＳＩＰ情報センターに転送するように構成された発行リクエスト処理部１００１、ＳＩＰ端末から受信した照会リクエストから照会条件を取得してそれらをＳＩＰ情報センターに転送するように構成された照会リクエスト処理部１００２、及びＳＩＰ情報センターのアップデートを監視してＳＩＰ情報センターにおける（ＳＩＰ端末から受信した契約リクエストによって契約される）新たな情報をＳＩＰ端末に通知する契約リクエスト処理部１００３の少なくとも１つを備える。
【００７６】
また、ＳＩＰアプリケーションサーバ１０３はさらに、受信したメッセージから発行リクエスト、照会リクエスト及び契約リクエストを認識してそれらを発行リクエスト処理部１００１、照会リクエスト処理部１００２及び契約リクエスト処理部１００３にそれぞれ分配するように構成されたメッセージ認識部１００４を備えることができる。
【００７７】
より具体的には、メッセージ認識部１００４は受信したメッセージを認識する。それがＳＩＰ  ＲＥＧＩＳＴＥＲメッセージであり、かつ、そのコンテンツタイプフィールドの値が「アプリケーション／発行＋ｘｍｌ」の場合には、メッセージ認識部１００４はメッセージを発行リクエストと認識し、それを発行リクエスト処理部１００１に分配する。発行リクエスト処理部１００１は発行すべき情報をＳＩＰ  ＲＥＧＩＳＴＥＲメッセージから取得し、それをＳＩＰ情報センター１０４のようなＳＩＰ情報センターに転送する。
【００７８】
メッセージがＳＩＰ  ＲＥＧＩＳＴＥＲメッセージであり、そのコンテンツタイプフィールドの値が「アプリケーション／照会＋ｘｍｌ」の場合には、メッセージ認識部１００４はそれを照会リクエストと認識し、それを照会リクエスト処理部１００２に分配する。発行リクエスト処理部１００２は照会条件をＳＩＰ  ＲＥＧＩＳＴＥＲメッセージから取得し、それをＳＩＰ情報センター１０４のようなＳＩＰ情報センターに転送する。
【００７９】
さらに、メッセージがＳＩＰ  ＳＵＢＳＣＲＩＢＥメッセージの場合には、メッセージ認識部１００４はそれを契約リクエストと認識し、それを契約リクエスト処理部１００３に分配する。契約リクエスト処理部１００３は契約イベントを記録し、契約イベントによって契約されるトピックの最新情報があるか否かを判断するためにＳＩＰ情報センターから通知された更新イベントを監視する。ＳＩＰ情報センターにおいてそのトピックの最新情報がある場合、契約リクエスト処理部１００３はＳＩＰ情報センターから情報を取得し、それをＳＩＰ端末に通知する。
【００８０】
さらに、ＳＩＰアプリケーションサーバ１０３は、ＳＩＰ情報センターから受信された照会結果が埋め込まれた照会応答メッセージを作成するように構成された照会応答作成部１００５を備えることができる。
より具体的には、照会応答作成部１００５は図６の形式の照会応答メッセージを作成する。即ち、実施例では、照会応答作成部１００５によって作成される照会応答メッセージはＳＩＰ２００ＯＫ応答メッセージから拡張される。
【００８１】
図１０に示すように、照会応答作成部１００５はさらに、ＳＩＰ２００ＯＫ応答メッセージを照会応答メッセージとして示すように構成されたメッセージ表示部１００６、及びＳＩＰ２００ＯＫ応答メッセージのボディ部に照会結果を埋め込むように構成された照会結果埋め込み部１００７を備えることができる。
【００８２】
より具体的には、メッセージ表示部１００６は、ＳＩＰ２００ＯＫ応答メッセージのコンテンツタイプフィールドを「アプリケーション／照会＋ｘｍｌ」として設定してこれが照会応答メッセージであることを示す。照会結果埋め込み部１００７は、照会結果（これはＳＩＰ情報センターから受信される）をＳＩＰ２００ＯＫ応答メッセージのボディ部の＜照会＞部分に予め定義されたパターンで埋め込んで照会応答メッセージを取得する。
【００８３】
さらに、ＳＩＰアプリケーションサーバ１０３は、ＳＩＰ端末１０１のようなＳＩＰ端末からリクエストを受信し／応答を送信するように構成された送信／受信部１００８、及びＳＩＰアプリケーションサーバ１０３がＳＩＰ情報センター１０４のようなＳＩＰ情報センターと情報を交換するインターフェイス１００９を備えることができる。
【００８４】
同じ発明の思想の下、図１１に、本発明の実施例による図１のＶｏＩＰネットワークシステムにおけるＳＩＰ情報センターの概略ブロック図を示す。これは図１のＶｏＩＰネットワークシステム１００においてＳＩＰ情報センター１０４として実施される。
【００８５】
図１１に示すように、ＳＩＰ情報センター１０４は、情報を記憶するための少なくとも１つのデータベース１１０１、ＳＩＰ端末１０１のようなＳＩＰ端末からＳＩＰアプリケーションサーバ１０３のようなＳＩＰアプリケーションサーバを介して受信される発行すべき情報に基づいて少なくとも１つのデータベース１１０１を更新するように構成されたデータベース更新部１１０２、及びＳＩＰ端末１０１のようなＳＩＰ端末からＳＩＰアプリケーションサーバを介して受信される照会条件を満たす情報について少なくとも１つのデータベースに照会するように構成された照会部１１０３を備える。
【００８６】
さらに、ＳＩＰ情報センター１０４は、少なくとも１つのデータベース１１０１の更新イベントをＳＩＰアプリケーションサーバ１０３に通知するように構成された更新通知部１１０４を備えることができる。
【００８７】
好適な実施例では、更新通知部１１０４は、少なくとも１つのデータベースにＳＩＰ顧客によって発行された最新情報があるときに、ＳＩＰ情報センター１０４の少なくとも１つのデータベース１１０１の更新イベントをＳＩＰアプリケーションサーバ１０３に通知する。
【００８８】
代替の実施例では、更新通知部１１０４は、周期的に、例えば毎日、少なくとも１つのデータベース１１０１の更新イベントをＳＩＰアプリケーションサーバ１０３に通知する。
【００８９】
さらに、ＳＩＰ情報センター１０４は、ＳＩＰ情報センター１０４がＳＩＰアプリケーションサーバ１０３と情報を交換するインターフェイス１１０５を備えることができる。
【００９０】
ＳＩＰ端末１０１、ＳＩＰアプリケーションサーバ１０３及びＳＩＰ情報センター１０４並びにそれらの構成要素は特別に設計された回路若しくはチップで実施され、又は対応のプログラムを実行する演算デバイス（情報処理デバイス）によって実施されることが分かるはずである。さらに、ＳＩＰ端末１０１、ＳＩＰアプリケーションサーバ１０３及びＳＩＰ情報センター１０４のそれぞれの構成要素は物理的に分離されていてもよいが動作的に協働され得る。
【００９１】
上記は発明の好適な実施例の説明である。上記の説明から、ＳＩＰ顧客がＳＩＰ情報センターへ／そこから情報を発行、照会、契約することを可能とすることによって、発明はユーザに大きな利便性を与え、サービスプロバイダにも利益を生み出すことが分かる。
【００９２】
本発明のＶｏＩＰネットワークシステムにおいてＳＩＰ端末によって情報を発行、照会及び契約するための方法、ＳＩＰ端末、ＳＩＰアプリケーションサーバ、ＳＩＰ情報センタ並びにＶｏＩＰネットワークシステムを幾つかの実施例によって詳細に説明したが、これらの実施例は網羅的ではなく、当業者であれば本発明の精神と範囲内で種々の変形及び修正を行うことができる。従って、本発明はそれらの実施例に限定されるのもではなく、その範囲は添付の特許請求の範囲によってのみ特定される。
【図１】
2010535439.tif 000003
【図２】
2010535439.tif 000004
【図３】
2010535439.tif 000005
【図４】
2010535439.tif 000006
【図５】
2010535439.tif 000007
【図６】
2010535439.tif 000008
【図７】
2010535439.tif 000009
【図８】
2010535439.tif 000010
【図９ａ】
2010535439.tif 000011
【図９ｂ】
2010535439.tif 000012
【図９ｃ】
2010535439.tif 000013
【図１０】
2010535439.tif 000014
【図１１】
2010535439.tif 000015
【国際調査報告】
2010535439.tif 000016
2010535439.tif 000017